【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
一方の端子と他方の端子を備えた給電部と接続可能なヒータであって、
基板と、
前記基板上に設けられ、前記一方の端子側に電気的に接続可能な第１の接点部と、
前記基板上に設けられ、前記他方の端子側に電気的に接続可能な第２の接点部と、
前記基板上に設けられ、前記他方の端子側に電気的に接続可能な第３の接点部と、
前記基板の長手方向に延びて設けられ、前記第１の接点部と電気的に接続される第１の配線と、
前記基板の長手方向に延びて設けられ、前記第２の接点部と電気的に接続される第２の配線と、
前記基板の長手方向に延びて設けられ、前記第３の接点部と電気的に接続される第３の配線と、
前記第１の配線を介して前記第１の接点部と電気的に接続される複数の電極である第１の電極群と、
前記基板の長手方向に関して間隔を空けて前記第１の電極群の電極と交互に並ぶように配置された複数の電極であって、前記第２の配線を介して前記第２の接点部と電気的に接続される電極と前記第３の配線を介して前記第３の接点部と電気的に接続される電極とを含む複数の電極である第２の電極群と、
隣り合う前記第１の電極群の電極と前記第２の電極群の電極の間を電気的に接続し、隣り合う前記第１の電極群の電極と前記第２の電極群の電極の間において前記基板の長手方向に電流が流れるように、隣り合う前記第１の電極群の電極と前記第２の電極群の電極の間に設けられ、隣り合う前記第１の電極群の電極と前記第２の電極群の電極の間での電流により発熱する複数の発熱部と、を有し、
前記第１の接点部は、前記複数の発熱部よりも前記基板の長手方向の一端側に近い領域に設けられ、前記第２の接点部及び前記第３の接点部は、前記複数の発熱部よりも前記基板の長手方向の他端側に近い領域に設けられていることを特徴とするヒータ。
【請求項２】
前記第１の配線は、前記複数の発熱部よりも前記基板の短手方向の一端側に近い領域に設けられており、
前記第２の配線および前記第３の配線は、前記複数の発熱部よりも前記基板の短手方向の他端側に近い領域に設けられていることを特徴とする請求項１に記載のヒータ。
【請求項３】
前記第２の接点部と前記第３の接点部との間の距離は、前記複数の発熱部の中で前記第１の接点部に最も近い発熱部と前記第１の接点部との間の前記基板の長手方向における距離よりも短いことを特徴とする請求項１又は２のいずれか１項に記載のヒータ。
【請求項４】
前記第２の接点部と前記第３の接点部は、前記基板の長手方向に間隔を空けて隣り合って配置されており、
前記第２の接点部と前記第３の接点部の間の前記基板の長手方向における距離は、２．５ｍｍ未満であることを特徴とする請求項１乃至３のいずれか１項に記載のヒータ。
【請求項５】
前記第１の配線と電気的に接続される電極と前記第２の配線と電気的に接続される電極及び前記第３の配線と電気的に接続される電極とを用いて発熱する第１の発熱領域は、前記第１の配線と電気的に接続される電極と前記第２の配線と電気的に接続される電極とを用いて発熱する第２の発熱領域よりも広いことを特徴とする請求項１乃至４のいずれか１項に記載のヒータ。
【請求項６】
前記第１の発熱領域は、前記第２の発熱領域にオーバーラップしていることを特徴とする請求項５に記載のヒータ。
【請求項７】
前記第２の電極群の電極と配線を介して電気的に全ての接点部は、前記複数の発熱部よりも前記基板の長手方向の他端側に近い領域に設けられていることを特徴とする請求項１乃至６のいずれか１項に記載のヒータ。
【請求項８】
前記複数の発熱部は、第１の発熱部と、前記基板の長手方向に関して前記第１の発熱部よりも前記第１の接点部に近い位置に位置する第２の発熱部と、を有し、
前記第１の配線は、前記第１の発熱部に電気的に接続されている第１の電極を前記第１の接点部と電気的に接続する第１の配線部と、前記第２の発熱部に電気的に接続されている第２の電極を前記第１の接点部と電気的に接続する第２の配線部と、を有し、
前記第２の配線は、前記第１の発熱部に電気的に接続されている第３の電極を前記第２の接点部と電気的に接続する第３の配線部と、前記第２の発熱部に電気的に接続されている第４の電極を前記第２の接点部と電気的に接続する第４の配線部と、を有し、
前記第１の配線部は前記第２の配線部よりも長く、前記第４の配線部は前記第３の配線部よりも長いことを特徴とする請求項１乃至７のいずれか１項に記載のヒータ。
【請求項９】
前記複数の発熱部は、第１の発熱部と、前記基板の長手方向に関して前記第１の発熱部よりも前記第１の接点部に近い位置に位置する第２の発熱部と、を有し、
前記第１の配線は、前記第１の発熱部に電気的に接続されている第１の電極を前記第１の接点部と電気的に接続する第１の配線部と、前記第２の発熱部に電気的に接続されている第２の電極を前記第１の接点部と電気的に接続する第２の配線部と、を有し、
前記第２の配線は、前記第１の発熱部に電気的に接続されている第３の電極を前記第２の接点部と電気的に接続する第３の配線部を有し、
前記第３の配線は、前記第２の発熱部に電気的に接続されている第４の電極を前記第２の接点部と電気的に接続する第４の配線部と、を有し、
前記第１の配線部は前記第２の配線部よりも長く、前記第４の配線部は前記第３の配線部よりも長いことを特徴とする請求項１乃至７のいずれか１項に記載のヒータ。
【請求項１０】
前記複数の発熱部は、単一の発熱体であることを特徴とする請求項１乃至９のいずれか１項に記載のヒータ。
【請求項１１】
一方の端子と他方の端子を備えた給電部と、
シート上の画像を加熱するエンドレス状のベルト回転体と、
前記ベルト回転体を加熱するヒータと、
を有する画像加熱装置であって、
前記ヒータは、
基板と、
前記基板上に設けられ、前記一方の端子側に電気的に接続可能な第１の接点部と、
前記基板上に設けられ、前記他方の端子側に電気的に接続可能な第２の接点部と、
前記基板上に設けられ、前記他方の端子側に電気的に接続可能な第３の接点部と、
前記基板の長手方向に延びて設けられ、前記第１の接点部と電気的に接続される第１の配線と、
前記基板の長手方向に延びて設けられ、前記第２の接点部と電気的に接続される第２の配線と、
前記基板の長手方向に延びて設けられ、前記第３の接点部と電気的に接続される第３の配線と、
前記第１の配線を介して前記第１の接点部と電気的に接続される複数の電極である第１の電極群と、
前記基板の長手方向に関して間隔を空けて前記第１の電極群の電極と交互に並ぶように配置された複数の電極であって、前記第２の配線を介して前記第２の接点部と電気的に接続される電極と前記第３の配線を介して前記第３の接点部と電気的に接続される電極とを含む複数の電極である第２の電極群と、
隣り合う前記第１の電極群の電極と前記第２の電極群の電極の間を電気的に接続し、隣り合う前記第１の電極群の電極と前記第２の電極群の電極の間において前記基板の長手方向に電流が流れるように、隣り合う前記第１の電極群の電極と前記第２の電極群の電極の間に設けられ、隣り合う前記第１の電極群の電極と前記第２の電極群の電極の間での電流により発熱する複数の発熱部と、を有し、
前記第１の接点部は、前記複数の発熱部よりも前記基板の長手方向の一端側に近い領域に設けられ、前記第２の接点部及び前記第３の接点部は、前記複数の発熱部よりも前記基板の長手方向の他端側に近い領域に設けられていることを特徴とする画像加熱装置。
【請求項１２】
前記給電部は、前記第１の接点部に接触して前記一方の端子と前記第１の接点部を電気的に接続する第１のコネクタと、前記第２の接点部に接触して前記他方の端子と前記第２の接点部を電気的に接続する第２のコネクタ部及び前記第３の接点部に接触して前記他方の端子と前記第３の接点部を電気的に接続する第３のコネクタ部を備える第２のコネクタと、を備えることを特徴とする請求項１１に記載の画像加熱装置。
【請求項１３】
前記ヒータの前記第１の配線は、前記複数の発熱部よりも前記基板の短手方向の一端側に近い領域に設けられており、
前記ヒータの前記第２の配線および前記第３の配線は、前記複数の発熱部よりも前記基板の短手方向の他端側に近い領域に設けられていることを特徴とする請求項１１又は１２のいずれか１項に記載の画像加熱装置。
【請求項１４】
前記ヒータの前記第２の接点部と前記第３の接点部との間の距離は、前記複数の発熱部の中で前記第１の接点部に最も近い発熱部と前記第１の接点部との間の前記基板の長手方向における距離よりも短いことを特徴とする請求項１１乃至１３のいずれか１項に記載の画像加熱装置。
【請求項１５】
前記ヒータの前記第２の接点部と前記第３の接点部は、前記基板の長手方向に間隔を空けて隣り合って配置されており、
前記ヒータの前記第２の接点部と前記第３の接点部の間の前記基板の長手方向における距離は、２．５ｍｍ未満であることを特徴とする請求項１１乃至１４のいずれか１項に記載の画像加熱装置。
【請求項１６】
前記ヒータにおいて、前記第１の配線と電気的に接続される電極と前記第２の配線と電気的に接続される電極及び前記第３の配線と電気的に接続される電極とを用いて発熱する第１の発熱領域は、前記第１の配線と電気的に接続される電極と前記第２の配線と電気的に接続される電極とを用いて発熱する第２の発熱領域よりも広いことを特徴とする請求項１１乃至１５のいずれか１項に記載の画像加熱装置。
【請求項１７】
前記第１の発熱領域は、前記第２の発熱領域にオーバーラップしていることを特徴とする請求項１６に記載の画像加熱装置。
【請求項１８】
装置に使用可能な最大の幅サイズのシートを加熱する場合、前記給電部は、前記ヒータの前記第１の発熱領域を発熱させるべく、前記第１の接点部及び前記第２の接点部及び前記第３の接点部に給電を行い、
装置に使用可能な最大の幅サイズのシートよりも幅狭な所定の幅サイズのシートを加熱する場合、前記給電部は、前記ヒータの前記第２の発熱領域を発熱させるべく、前記第１の接点部及び前記第２の接点部に給電を行うことを特徴とする請求項１６又は１７のいずれか１項に記載の画像加熱装置。
【請求項１９】
前記ヒータの前記第２の電極群の電極と配線を介して電気的に全ての接点部は、前記複数の発熱部よりも前記基板の長手方向の他端側に近い領域に設けられていることを特徴とする請求項１１乃至１８のいずれか１項に記載の画像加熱装置。
【請求項２０】
前記複数の発熱部は、単一の発熱体であることを特徴とする請求項１１乃至１９のいずれか１項に記載の画像加熱装置。
【請求項２１】
前記給電部は、交流回路であることを特徴とする請求項１１乃至２０のいずれか１項に記載の画像加熱装置。
【手続補正２】
【補正対象書類名】明細書
【補正対象項目名】０００８
【補正方法】変更
【補正の内容】
【０００８】
第１の発明は、
一方の端子と他方の端子を備えた給電部と接続可能なヒータであって、
基板と、
前記基板上に設けられ、前記一方の端子側に電気的に接続可能な第１の接点部と、
前記基板上に設けられ、前記他方の端子側に電気的に接続可能な第２の接点部と、
前記基板上に設けられ、前記他方の端子側に電気的に接続可能な第３の接点部と、
前記基板の長手方向に延びて設けられ、前記第１の接点部と電気的に接続される第１の配線と、
前記基板の長手方向に延びて設けられ、前記第２の接点部と電気的に接続される第２の配線と、
前記基板の長手方向に延びて設けられ、前記第３の接点部と電気的に接続される第３の配線と、
前記第１の配線を介して前記第１の接点部と電気的に接続される複数の電極である第１の電極群と、
前記基板の長手方向に関して間隔を空けて前記第１の電極群の電極と交互に並ぶように配置された複数の電極であって、前記第２の配線を介して前記第２の接点部と電気的に接続される電極と前記第３の配線を介して前記第３の接点部と電気的に接続される電極とを含む複数の電極である第２の電極群と、
隣り合う前記第１の電極群の電極と前記第２の電極群の電極の間を電気的に接続し、隣り合う前記第１の電極群の電極と前記第２の電極群の電極の間において前記基板の長手方向に電流が流れるように、隣り合う前記第１の電極群の電極と前記第２の電極群の電極の間に設けられ、隣り合う前記第１の電極群の電極と前記第２の電極群の電極の間での電流により発熱する複数の発熱部と、を有し、
前記第１の接点部は、前記複数の発熱部よりも前記基板の長手方向の一端側に近い領域に設けられ、前記第２の接点部及び前記第３の接点部は、前記複数の発熱部よりも前記基板の長手方向の他端側に近い領域に設けられていることを特徴とするものである。
また、第２の発明は、
一方の端子と他方の端子を備えた給電部と、
シート上の画像を加熱するエンドレス状のベルト回転体と、
前記ベルト回転体を加熱するヒータと、
を有する画像加熱装置であって、
前記ヒータは、
基板と、
前記基板上に設けられ、前記一方の端子側に電気的に接続可能な第１の接点部と、
前記基板上に設けられ、前記他方の端子側に電気的に接続可能な第２の接点部と、
前記基板上に設けられ、前記他方の端子側に電気的に接続可能な第３の接点部と、
前記基板の長手方向に延びて設けられ、前記第１の接点部と電気的に接続される第１の配線と、
前記基板の長手方向に延びて設けられ、前記第２の接点部と電気的に接続される第２の配線と、
前記基板の長手方向に延びて設けられ、前記第３の接点部と電気的に接続される第３の配線と、
前記第１の配線を介して前記第１の接点部と電気的に接続される複数の電極である第１の電極群と、
前記基板の長手方向に関して間隔を空けて前記第１の電極群の電極と交互に並ぶように配置された複数の電極であって、前記第２の配線を介して前記第２の接点部と電気的に接続される電極と前記第３の配線を介して前記第３の接点部と電気的に接続される電極とを含む複数の電極である第２の電極群と、
隣り合う前記第１の電極群の電極と前記第２の電極群の電極の間を電気的に接続し、隣り合う前記第１の電極群の電極と前記第２の電極群の電極の間において前記基板の長手方向に電流が流れるように、隣り合う前記第１の電極群の電極と前記第２の電極群の電極の間に設けられ、隣り合う前記第１の電極群の電極と前記第２の電極群の電極の間での電流により発熱する複数の発熱部と、を有し、
前記第１の接点部は、前記複数の発熱部よりも前記基板の長手方向の一端側に近い領域に設けられ、前記第２の接点部及び前記第３の接点部は、前記複数の発熱部よりも前記基板の長手方向の他端側に近い領域に設けられていることを特徴とするものである。